(57)【要約】【課題】道路名称を持たない道路に、道路周囲の施設名等に基づいて道路名を付与し、画面上に表示する「情報処理装置」を提供することである。【解決手段】道路地図に関する道路地図情報を記憶する記憶部と、前記道路地図情報に基づいて道路名称を含む道路地図を表示部に表示する表示制御手段と、を有する情報処理装置であって、前記道路地図に含まれる道路について道路名称を有するか否かを判定する道路名称判定手段と、該道路名称判定手段により前記道路が道路名称を有しないと判定されたときに、前記道路に関連付けられた施設の有無を判定する施設判定手段と、該施設判定手段により前記道路に関連付けられた施設が有りと判定されたときに、前記施設の施設情報に基づいて前記道路に名称を付与する道路名称付与手段と、を有する構成となる。【選択図】図２
2017125941.tif 000002
【特許請求の範囲】
【請求項１】
道路地図に関する道路地図情報を記憶する記憶部と、前記道路地図情報に基づいて道路名称を含む道路地図を表示部に表示する表示制御手段と、を有する情報処理装置であって、
前記道路地図に含まれる道路について道路名称を有するか否かを判定する道路名称判定手段と、
該道路名称判定手段により前記道路が道路名称を有しないと判定されたときに、前記道路に関連付けられた施設の有無を判定する施設判定手段と、
該施設判定手段により前記道路に関連付けられた施設が有りと判定されたときに、前記施設の施設情報に基づいて前記道路に名称を付与する道路名称付与手段と、を有する情報処理装置。
【請求項２】
入力された目的地までの案内経路を前記道路地図情報に基づいて探索する案内経路探索手段を更に有し、
前記道路名称判定手段は、前記案内経路を含む所定範囲の道路について道路名称を有するか否かを判定する請求項１に記載の情報処理装置。
【請求項３】
前記道路名称付与手段は、予め設定された優先順位に従って、前記道路に関連付けられた施設の施設情報に基づいて前記道路に名称を付与する請求項１又は２に記載の情報処理装置。
【請求項４】
前記道路名称付与手段により道路名称が付与された道路に関連する施設に対して、前記道路名称を関連付けて前記記憶部に記憶させる道路名称記憶手段と、
操作部により入力された施設に関する入力情報により前記記憶部の道路地図情報を検索する検索手段と、を更に有し、
前記検索手段は、前記道路名称を含めた入力情報により前記道路地図情報を検索する請求項１乃至３のいずれかに記載の情報処理装置。
【請求項５】
前記道路地図情報に含まれる道路のリンク情報に、前記付与された道路名称を含む施設情報が関連付けて前記記憶部に記憶される請求項１乃至４のいずれかに記載の情報処理装置。
【請求項６】
道路地図に関する道路地図情報に基づいて道路名称を含む道路地図を表示部に表示する表示制御ステップを有する情報処理方法であって、
前記道路地図情報に含まれる道路について道路名称を有するか否かを判定する道路名称判定ステップと、
該道路名称判定ステップにより前記道路が道路名称を有しないと判定されたときに、前記道路に関連付けられた施設の有無を判定する施設判定ステップと、
該施設判定ステップにより前記道路に関連付けられた施設が有りと判定されたときに、前記施設の施設情報に基づいて前記道路に名称を付与する道路名称付与ステップと、を有する情報処理方法。
【請求項７】
入力された目的地までの案内経路を前記道路地図情報に基づいて探索する案内経路探索ステップを更に有し、
前記道路名称判定ステップは、前記案内経路を含む所定範囲の道路について道路名称を有するか否かを判定する請求項６に記載の情報処理方法。
【請求項８】
前記道路名称付与ステップは、予め設定された優先順位に従って、前記道路に関連付けられた施設の施設情報に基づいて前記道路に名称を付与する請求項６又は７に記載の情報処理方法。
【請求項９】
前記道路名称付与ステップにより道路名称が付与された道路に関連する施設に対して、前記道路名称を関連付けて前記記憶部に記憶させる道路名称記憶ステップと、
操作部により入力された施設に関する入力情報により前記記憶部の道路地図情報を検索する検索ステップと、を更に有し、
前記検索ステップは、前記道路名称を含めた入力情報により前記道路地図情報を検索する請求項６乃至８のいずれかに記載の情報処理方法。
【請求項１０】
前記道路地図情報に含まれる道路のリンク情報に、前記付与された道路名称を含む施設情報が関連付けて前記記憶部に記憶される請求項６乃至９のいずれかに記載の情報処理方法。
【請求項１１】
道路地図に関する道路地図情報に基づいて道路名称を含む道路地図を表示部に表示する情報処理装置での処理をコンピュータにて実行させるプログラムであって、
前記道路地図情報に含まれる道路について道路名称を有するか否かを判定する道路名称判定ステップと、
該道路名称判定ステップにより前記道路が道路名称を有しないと判定されたときに、前記道路に関連付けられた施設の有無を判定する施設判定ステップと、
該施設判定ステップにより前記道路に関連付けられた施設が有りと判定されたときに、前記施設の施設情報に基づいて前記道路に名称を付与する道路名称付与ステップと、を前記コンピュータに実行させるプログラム。
【請求項１２】
入力された目的地までの案内経路を前記道路地図情報に基づいて探索する案内経路探索ステップを更に有し、
前記道路名称判定ステップは、前記案内経路を含む所定範囲の道路について道路名称を有するか否かを判定する請求項１１に記載の前記コンピュータに実行させるプログラム。
【請求項１３】
前記道路名称付与ステップは、予め設定された優先順位に従って、前記道路に関連付けられた施設の施設情報に基づいて前記道路に名称を付与する請求項１１又は１２に記載の前記コンピュータに実行させるプログラム。
【請求項１４】
前記道路名称付与ステップにより道路名称が付与された道路に関連する施設に対して、前記道路名称を関連付けて前記記憶部に記憶させる道路名称記憶ステップと、
操作部により入力された施設に関する入力情報により前記記憶部の道路地図情報を検索する検索ステップと、を更に有し、
前記検索ステップは、前記道路名称を含めた入力情報により前記道路地図情報を検索する請求項１１乃至１３のいずれかに記載の前記コンピュータに実行させるプログラム。
【請求項１５】
前記道路地図情報に含まれる道路のリンク情報に、前記付与された道路名称を含む施設情報が関連付けて前記記憶部に記憶される請求項１１乃至１４のいずれかに記載の前記コンピュータに実行させるプログラム。
【発明の詳細な説明】
【技術分野】
【０００１】
本発明は、道路地図情報に基づいて道路名称を含む道路地図を表示部に表示する情報処理装置及び情報処理方法並びに前記情報処理装置での処理をコンピュータにて実行させるプログラムに関する。
【背景技術】
【０００２】
スマートフォン、ナビゲーション装置等による経路案内の地図表示画面では、走行経路に所定の道路名称（例えば、タワー通り、○○商店街通り等）を表示することで、進行方向を明確に認識できる等の利便性を提供している。しかしながら、道路名称の存在しない地域、国（特に、発展途上国等では、名称の無い道路が多数存在する。）もあり、上記道路名称表示による利便性を提供することができない場合がある。
【０００３】
案内経路の画面を示す案内経路の道路地図である図４Ａ、走行案内経路工程の画面を示す経路工程概略図である図４Ｂに示すように、道路地図１００の案内経路に名称の無い道路が有るときは、たとえば、「ＵＮＮＡＭＥＤ  Ｒｄ．」と表示されるため、自車位置１０１の的確な位置把握が困難な場合が生じる。さらに、ＥＵ諸国や北米等での住所検索は、都市名、道路名、ＨｏｕｓｅＮｏを入力する仕組みであるため（ＡＢ市ＫＢ通り１１１番地等）、道路名が無い地域では（住所に道路名を使用出来ない）住所検索を行うことができない。
【０００４】
現在走行中の道路の道路名を検出できないとき、又は現在走行中の道路に道路名がなかったときに、検出された進行方向の前方に位置する道路の中から、最も近い道路の道路名を検出し、これを仮道路名として表示するナビゲーション装置が開示されている（特許文献１参照）。
【先行技術文献】
【特許文献】
【０００５】
【特許文献１】特開２００９−１４６９２号公報
【発明の概要】
【発明が解決しようとする課題】
【０００６】
上記特許文献１に開示されたナビゲーション装置によれば、走行中の道路に道路名がないときでも前方直近の道路名を仮道路名として表示するので、ユーザの便宜を図ることができるが、上述したように、名称のない道路が多数存在する場合には、仮道路名の表示もできない場合が生じる。
【０００７】
本発明は、道路名称を持たない道路に、道路周囲の施設名等に基づいて道路名を付与し、画面上に表示する情報処理装置及び情報処理方法並びに前記情報処理装置での処理をコンピュータにて実行させるプログラムの提供を目的とする。
【課題を解決するための手段】
【０００８】
上記課題を解決するために、本発明に係る情報処理装置は、道路地図に関する道路地図情報を記憶する記憶部と、前記道路地図情報に基づいて道路名称を含む道路地図を表示部に表示する表示制御手段と、を有する情報処理装置であって、前記道路地図に含まれる道路について道路名称を有するか否かを判定する道路名称判定手段と、該道路名称判定手段により前記道路が道路名称を有しないと判定されたときに、前記道路に関連付けられた施設の有無を判定する施設判定手段と、該施設判定手段により前記道路に関連付けられた施設が有りと判定されたときに、前記施設の施設情報に基づいて前記道路に名称を付与する道路名称付与手段と、を有する構成となる。
【０００９】
このような構成によれば、道路地図に含まれる道路が、道路名称を有しない道路と判定されたときに、この道路に関連付けられた施設の施設情報に基づいて道路名称を付与するので、道路地図における位置情報をより的確に提供することができる。また、道路名称を付与することで道路名称に基づく住所検索を行うことができる。道路に関連付けられた施設の施設情報に基づいて前記道路に名称を付与とは、例えば、道路に沿った（面する）施設の名称を道路名称として付与することが該当する。
【００１０】
本発明に係る情報処理装置において、入力された目的地までの案内経路を前記道路地図情報に基づいて探索する案内経路探索手段を更に有し、前記道路名称判定手段は、前記案内経路を含む所定範囲の道路について道路名称を有するか否かを判定する構成とすることができる。
【００１１】
このような構成によれば、案内経路を前記道路地図情報に基づいて探索するときに、名称の無い道路に道路名称を付与することで、現在の位置を明確にした案内経路を提供することができる。案内経路を含む所定範囲の道路とは、例えば、案内経路を含む表示部に表示された道路地図に含まれる道路が該当する。
【００１２】
本発明に係る情報処理装置において、前記道路名称付与手段は、予め設定された優先順位に従って、前記道路に関連付けられた施設の施設情報に基づいて前記道路に名称を付与する構成とすることができる。
【００１３】
このような構成によれば、予め設定された優先順位に従い、道路に関連付けられた施設の施設情報に基づいて道路名称を付与するので、道路名称付与による位置情報の明確性を向上させることができる。予め設定された優先順位は、例えば、道路に関連付けられた施設について、その公共性の程度、施設への出入り人数の程度、交差点からの距離が短い等に応じて順位付けることができる。
【００１４】
本発明に係る情報処理装置において、前記道路名称付与手段により道路名称が付与された道路に関連する施設に対して、前記道路名称を関連付けて前記記憶部に記憶させる道路名称記憶手段と、操作部により入力された施設に関する入力情報により前記記憶部の道路地図情報を検索する検索手段と、を更に有し、前記検索手段は、前記道路名称を含めた入力情報により前記道路地図情報を検索する構成とすることができる。
【００１５】
このような構成によれば、道路名称が付与された道路に関連する施設に対して、前記道路名称を関連付けて記憶部に記憶させるので、道路名称を入力情報として含めた検索をすることで目的の施設にアクセスすることができる。
【００１６】
本発明に係る情報処理装置において、前記道路地図情報に含まれる道路のリンク情報に、前記付与された道路名称を含む施設情報が関連付けて前記記憶部に記憶される構成とすることができる。
【００１７】
このような構成によれば、道路名称が付与された道路に関連する施設の施設情報が、道路名称が付与された道路のリンク情報に関連付けて記憶されるので、道路名称による施設検索が容易に行われることになる。
【００１８】
本発明に係る情報処理方法は、道路地図に関する道路地図情報に基づいて道路名称を含む道路地図を表示部に表示する表示制御ステップを有する情報処理方法であって、前記道路地図情報に含まれる道路について道路名称を有するか否かを判定する道路名称判定ステップと、該道路名称判定ステップにより前記道路が道路名称を有しないと判定されたときに、前記道路に関連付けられた施設の有無を判定する施設判定ステップと、該施設判定ステップにより前記道路に関連付けられた施設が有りと判定されたときに、前記施設の施設情報に基づいて前記道路に名称を付与する道路名称付与ステップと、を有する構成である。
【００１９】
このような構成によれば、道路名称を有しない道路と判定されたときに、この道路に関連付けられた施設の施設情報に基づいて道路名称が付与されるので、道路地図における位置情報をより的確に提供することができる。
【００２０】
本発明に係る情報処理方法において、入力された目的地までの案内経路を前記道路地図情報に基づいて探索する案内経路探索ステップを更に有し、前記道路名称判定ステップは、前記案内経路を含む所定範囲の道路について道路名称を有するか否かを判定する構成とすることができる。
【００２１】
本発明に係る情報処理方法において、前記道路名称付与ステップは、予め設定された優先順位に従って、前記道路に関連付けられた施設の施設情報に基づいて前記道路に名称を付与する構成とすることができる。
【００２２】
本発明に係る情報処理方法において、前記道路名称付与ステップにより道路名称が付与された道路に関連する施設に対して、前記道路名称を関連付けて前記記憶部に記憶させる道路名称記憶ステップと、操作部により入力された施設に関する入力情報により前記記憶部の道路地図情報を検索する検索ステップと、を更に有し、前記検索ステップは、前記道路名称を含めた入力情報により前記道路地図情報を検索する構成とすることができる。
【００２３】
本発明に係る情報処理方法において、前記道路地図情報に含まれる道路のリンク情報に、前記付与された道路名称を含む施設情報が関連付けて前記記憶部に記憶される構成とすることができる。
【００２４】
本発明に係るプログラムは、道路地図に関する道路地図情報に基づいて道路名称を含む道路地図を表示部に表示する情報処理装置での処理をコンピュータにて実行させるプログラムであって、前記道路地図情報に含まれる道路について道路名称を有するか否かを判定する道路名称判定ステップと、該道路名称判定ステップにより前記道路が道路名称を有しないと判定されたときに、前記道路に関連付けられた施設の有無を判定する施設判定ステップと、該施設判定ステップにより前記道路に関連付けられた施設が有りと判定されたときに、前記施設の施設情報に基づいて前記道路に名称を付与する道路名称付与ステップと、を前記コンピュータに実行させる構成である。
【００２５】
本発明に係るプログラムにおいて、入力された目的地までの案内経路を前記道路地図情報に基づいて探索する案内経路探索ステップを更に有し、前記道路名称判定ステップは、前記案内経路を含む所定範囲の道路について道路名称を有するか否かを判定する構成とすることができる。
【００２６】
本発明に係るプログラムにおいて、前記道路名称付与ステップは、予め設定された優先順位に従って、前記道路に関連付けられた施設の施設情報に基づいて前記道路に名称を付与する構成とすることができる。
【００２７】
本発明に係るプログラムにおいて、前記道路名称付与ステップにより道路名称が付与された道路に関連する施設に対して、前記道路名称を関連付けて前記記憶部に記憶させる道路名称記憶ステップと、
操作部により入力された施設に関する入力情報により前記記憶部の道路地図情報を検索する検索ステップと、を更に有し、前記検索ステップは、前記道路名称を含めた入力情報により前記道路地図情報を検索する構成とすることができる。
【００２８】
本発明に係るプログラムにおいて、前記道路地図情報に含まれる道路のリンク情報に、前記付与された道路名称を含む施設情報が関連付けて前記記憶部に記憶される構成とすることができる。
【発明の効果】
【００２９】
本発明によれば、道路地図に含まれる道路が、道路名称を有しない道路と判定されたときに、当該道路に関連付けられた施設の施設情報に基づいて道路名称を付与するので、道路地図における位置情報をより的確に提供することができる。また、道路名称を付与することで道路名称に基づく住所検索が可能となる。
【図面の簡単な説明】
【００３０】
【図１】図１は、本発明の実施の形態に係る情報処理装置のブロック構成図である。
【図２】図２は、図１に示す情報処理装置の処理ユニットによる処理手順を示すフローチャートである。
【図３Ａ】図３Ａは、本発明の実施の形態に係る情報処理装置の表示部に表示された道路地図の概略図である。
【図３Ｂ】図３Ｂは、本発明の実施の形態に係る情報処理装置の表示部に表示された経路案内道路工程図の概略図である。
【図４Ａ】図４Ａは、従来のナビゲーション装置の表示部に表示された道路地図の概略図である。
【図４Ｂ】図４Ｂは、従来のナビゲーション装置の表示部に表示された経路案内道路工程図の概略図である。
【図５Ａ】図５Ａは、本発明の実施の形態に係る情報処理装置による道路名称付与条件を示す概略図（その１）である。
【図５Ｂ】図５Ｂは、本発明の実施の形態に係る情報処理装置による道路名称付与条件を示す概略図（その２）である。
【図６Ａ】図６Ａは、本発明の実施の形態に係る情報処理装置による道路名称付与条件を示す概略図（その３）である。
【図６Ｂ】図６Ｂは、本発明の実施の形態に係る情報処理装置による道路名称付与条件を示す概略図（その４）である。
【図７Ａ】図７Ａは、道路名称の無い道路を表示する道路地図の画面（その１）である。
【図７Ｂ】図７Ｂは、図７Ａの地図表示画面の道路に名称を付与する範囲を示す説明図である。
【図８Ａ】図８Ａは、道路名称の無い道路を表示する道路地図の画面（その２）である。
【図８Ｂ】図８Ｂは、図７Ａの地図表示画面の道路に名称を付与する範囲を示す説明図である。
【図９Ａ】図９Ａは、本発明の実施の形態に係る情報処理装置の表示部に表示された道路名称付与の道路地図の画面である。
【図９Ｂ】図９Ｂは、図９Ａの付与された道路名称が、道路地図情報に含まれる施設情報の施設住所に追加された状態を示すデータ一覧表図である。
【発明を実施するための形態】
【００３１】
本発明の実施の形態について図面を用いて説明する。
【００３２】
図１は、本発明の実施の形態に係る情報処理装置としてのナビゲーション機能付き車載機器１１を構成するブロック図である。
【００３３】
図１において、車載機器１１は、コンピュータユニット（例えば、ＣＰＵ、ＲＯＭ、ＲＡＭ、Ｉ／Ｏインターフェース及びバス等）によって構成される処理ユニット１２を有する。処理ユニット１２には、各種音源及び映像源（例えば、ＣＤ及びＤＶＤ）の再生処理が可能なＡＶユニット１５及び自車両のナビゲーションが可能なナビゲーションユニット１７（ＧＰＳ受信機器、ジャイロセンサ、加速度センサ等）が接続されている。また、処理ユニット１２にはスピーカ１８と接続される出力回路１９が接続されている。これによって、ＡＶユニット１５及びナビゲーションユニット１７による処理に係る音声信号を出力回路１９を介してスピーカ１８から出力可能となっている。加えて、処理ユニット１２には、ＡＶユニット１５及びナビゲーションユニット１７において利用する楽曲情報及び地図情報等の各種情報を記憶可能な記憶部２０（例えば、ハードディスク、フラッシュメモリ等）と、ＬＣＤ等によって構成される各種処理に伴う映像等を表示する表示部２１と、表示部２１上にタッチパネル形式にて形成される各種処理に必要な指示が入力可能な操作部２３とが接続されている。なお、操作部２３は、上記タッチパネル形式のソフトキーに替えて、押し釦形式のハードキーとすることができる。また、タッチパネル形式及び押し釦形式等の双方を操作部２３として使用することもできる。
【００３４】
上記した車載機器１１では、例えば、図２に示すような手順で処理（走行軌跡の表示等）がなされる。なお、図２の手順の説明では、図１のブロック図を適宜参照する。
【００３５】
図２において、車載機器１１の処理ユニット１２は、操作部２３により目的地が入力された時、ナビゲーションユニット１７により求めた自車両の現在位置と、記憶部２０に記憶された道路地図情報に基づいて目的地までの経路探索を行い（案内経路探索手段）、経路案内を開始する（Ｓ１１）。
【００３６】
処理ユニット１２は、画面上に表示される所定範囲の道路である、目的地への案内経路を含む道路地図に名称の無い道路（無名称道路）が存在するか否かの判定を行う（Ｓ１２：道路名称判定手段）。処理ユニット１２は、案内経路を含む所定範囲の道路地図に名称の無い道路が存在しない（画面表示された道路全てに名称有り）と判定したときには（Ｓ１２のＮＯ）、そのまま道路地図（道路名称付き）を表示部２１の画面に表示する（Ｓ１５：表示制御手段）。
【００３７】
処理ユニット１２は、案内経路を含む所定範囲の道路地図に無名称道路が存在すると判定したときには（Ｓ１２のＮＯ）、当該無名称道路に関連する施設の有無を判定する（Ｓ１３：施設判定手段）。無名称道路に関連する施設とは、当該無名称道路沿いで、当該無名称道路に面した施設をいう。無名名称道路のリンク情報には、上記施設について、当該無名称道路に関連付けられた施設の施設情報として含まれている。無名称道路のリンク情報に施設情報が含まれていないときは、無名称道路に関連する施設が無いものとして（Ｓ１３のＮＯ）、無名称道路として道路地図を表示部２１の画面に表示する（Ｓ１５：表示制御手段）。
【００３８】
処理ユニット１２は、無名称道路に関連する施設があると判定したときには（Ｓ１３のＹＥＳ）、無名称道路に当該施設名を道路名称として付与し（Ｓ１４：道路名称付与手段）、施設名による道路名称を付した道路地図が表示部２１の画面に表示する（Ｓ１５：表示制御手段）。これにより、無名称道路にも関連する施設名による道路名称が付与、表示されるので、経路案内において自車両の位置をより的確に把握することができる。なお、この道路地図には、公共施設、店舗等の施設名、道路名称等も併せて表示される。所定の施設については、当該施設を示す所定のアイコンも表示される。
【００３９】
図３Ａに示すように、表示部２１の画面に示す道路地図３１には、従来の道路地図（図４Ａ参照）では無名称であった道路３２、３３について、道路３２、３３に関連する施設の名称による道路名称が付与、表示されている。道路３２沿いには施設「Ｐコンビニ」が道路３２に面しており、道路３３沿いには施設「ＹＨ寺院」が道路３３に面している。これより、道路３２には「Ｐコンビニ通り」、道路３３には「ＹＨ寺院通り」の名称が付与され、道路画面に表示されている。また、自車両の走行案内経路工程の画面を示す経路工程概略図である図３Ｂに示すように、従来は無名称道路であった道路について（図４Ｂ参照）、「Ｐコンビニ通り」、「ＹＨ寺院通り」の道路名称が付与、表示されている。これにより、自車両の位置を付与、表示された道路名称により明確に判断することができる。なお、図３Ａに示すように、無名称の道路３４に関連する施設が無いときは、従来通り無名称道路（「ＵＮＮＡＭＥＤ  Ｒｄ．」）と表示される
【００４０】
処理ユニット１２は、無名称道路に関連する施設が複数あるとき、道路名称の付与について予め設定された優先順位に基づいて道路名称を決定する。図５Ａの道路地図４０に示すように、無名称の道路３６に関連する施設として、電波塔（ＡＢｔｏｗｅｒ）３７とガソリンスタンド（ＴＫＧｓ）３８とが道路３６沿いに存在するとき、ランドマークとして公共性の高い電波塔３７を優先して、無名称の道路３６に「ＡＢｔｏｗｅｒ通り」の道路名称を付与する。次の優先順位としては、例えば、図５Ｂの道路地図４２に示すように、無名称の道路４７にガソリンスタンド（ＴＫＧｓ）４５と販売店（ＰＱｓｈｏｐ）４６とが存在するとき、拡大図４３に示す施設であるガソリンスタンド（ＴＫＧｓ）４５を優先して、道路４７に「ＴＫＧｓ通り」の道路名称を付与する。さらに、次の優先順位として、例えば、図６Ａの道路地図５１に示すように、無名称の道路５２沿いにガソリンスタンド（ＥＳＧｓ）５３と販売店（ＦＢｓｈｏｐ）５５とが存在するとき、アイコン表示されたガソリンスタンド（ＥＳＧｓ）５３を優先して、道路５２に「ＥＳＧｓ通り」の道路名称を付与する。さらに、図６Ｂの道路地図５６に示すように、無名称の道路５７沿いに複合商業施設ビル（ＫＮビル）５８と販売店（ＦＢｓｈｏｐ）５９とが存在しているものの、上記した優先順位に該当しない場合には、交差点に近い施設である販売店（ＦＢｓｈｏｐ）５９を優先して、道路５７に「ＦＢｓｈｏｐ」通りの道路名称を付与する。上述した各優先順位は例示したものであり、これに限定されるものではなく、任意に設定することができる。
【００４１】
次に、無名称の道路に道路名称を付与する場合、名称が付与された道路の範囲について説明する。図７Ａの道路地図６１に示すように、無名称の道路６２、６３沿いには、関連する施設としてホテル（Ｔｈｏｔｅｌ）６５と販売店（Ｐｓｈｏｐ）６６とが存在する。また、道路地図６１には、幹線道路（太線で示す）「ＳＰＡＡ Ｒｄ」、「ＷＥＳＴＥＲＮ Ｒｄ」及び「ＲＯＸ ＳＴＲＥＥＴ」が表示されている。このとき、図７Ｂの道路地図６８に示すように、道路６２には、ホテル（Ｔｈｏｔｅｌ）６５に基づいて「Ｔｈｏｔｅｌ通り」の道路名称が付与され、道路６３には販売店（Ｐｓｈｏｐ）６６に基づいて「Ｐｓｈｏｐ通り」の道路名称が付与されるが、上記道路名称が付与された範囲は、いずれも上記幹線道路に接続するまでの範囲である。具体的には、「Ｔｈｏｔｅｌ通り」は幹線道路「ＳＰＡＡ Ｒｄ」と「ＷＥＳＴＥＲＮ Ｒｄ」との間の道路６２に付与された道路名称であり（鎖線で示す範囲）、「Ｐｓｈｏｐ通り」は幹線道路「ＷＥＳＴＥＲＮ Ｒｄ」と「ＲＯＸ ＳＴＲＥＥＴ」との間の道路６３に付与された道路名称である（同じく鎖線で示す範囲）。
このように、幹線道路に接続するまでの道路範囲について、施設名の道路名称を付与することで、名称付与された道路が無制限な道路範囲となることを防止することができ、幹線道路への誘導が容易となる等の利便性が向上する。また、道路名称の基になる施設から一定の範囲の道路について道路名称を付与することができる。図８Ａの道路地図７１に示すように、無名称の道路７２沿いに販売店（ＲＰｓｔｏｒｅ）７３が存在するが、図８Ｂの道路地図７５に示すように、道路７２に付与された道路名称の範囲は、販売店（ＲＰｓｔｏｒｅ）７３を中心位置とした道路７２の前後（左右）２５０ｍの範囲に付与、表示される（図８Ｂの鎖線の範囲）。このように所定の距離範囲について施設名に基づく道路名称を付与することで、施設と道路名称との関連が密になり、現在位置の把握等が明確になる。
【００４２】
図２において、上記したように、道路名称を表示した道路地図を表示部の画面に表示した後に、処理ユニット１２は、車両が目的地に到着し、経路案内を終了となるか否かを判定し（Ｓ１６）、目的地に到着したときは（Ｓ１６のＹＥＳ）無名称道路への名称付与、表示を終了する。未到着で経路案内を継続する場合には（Ｓ１６のＮＯ）、さらに走行経路を含む道路に名称の無い道路の存否判定を行い、道路沿いにある関連する施設の名称に基づいて道路名称を付与し、表示部２１の画面の道路地図に表示する。
【００４３】
このように、車載機器１１による目的地までの経路案内において、より正確な位置把握のために道路名称も併せて表示するが、無名称の道路が存在したときは道路沿いにある施設の名称に基づいて道路名称を付与するので、道路地図のデータベースに道路名称が存在しなくても、その都度正確な位置把握等の便宜を図ることができる。本実施形態では、本発明に係る情報処理装置としての車載機器について説明したが、これに限定するものでなく、例えばスマートフォン等の携帯機器、ＰＣ等にも適用することができる。
【００４４】
無名称の道路に施設名に基づく道路名称を付与したときは、当該道路に存在する施設の住所等に上記道路名称を関連付けることで、車載機器１１において以下の検索が可能となる。図９Ａの道路地図７７において、無名称の道路に対して施設名に基づいて「Ｐコンビニ通り」、「ＹＨ寺院通り」の道路名称が付与されている。そして、図９Ｂに示すように、「Ｐコンビニ通り」沿いにある「Ｐコンビニ」、「××ＧＳ」の施設住所の欄には、本来の住所に加えて「Ｐコンビニ通り」が新たに記載される。同様に、「ＹＨ寺院通り」沿いにある「ＹＨ寺院」、「○○ＳＴＯＲＥ」の施設住所の欄には、本来の住所に加えて「ＹＨ寺院通り」が新たに記載される。これにより、「Ｐコンビニ通り」でガソリンスタンドを検索したいとき、車載機器１１の操作部２３から「Ｐコンビニ通り」及び「ガソリンスタンド」を入力するフリーワード検索により、ガソリンスタンド「××ＧＳ」がヒットすることになる。また、「ＹＨ寺院通り」で買い物をしたいときに、「ＹＨ寺院通り」及び「百貨店」を入力した検索で「○○ＳＴＯＲＥ」がヒットする。このように、施設名に基づいて付与された道路名称を、当該道路沿いの施設の住所等に加えることで、付与された道路名称を加えた検索により所望の施設にアクセスすることが可能となり、検索の幅が拡張し、利便性が向上する。
【産業上の利用可能性】
【００４５】
以上、説明したように、本発明によれば、道路地図に含まれる道路が名称を有しない道路と判定されたときに、当該道路に関連付けられた施設の施設情報に基づいて道路名称を付与するので、道路地図における位置情報をより的確に提供することができるという効果を奏するので、道路地図情報に基づいて道路名称を含む道路地図を表示部に表示する情報処理装置及び情報処理方法並びに前記情報処理装置での処理をコンピュータにて実行させるプログラムとして有用である。
【符号の説明】
【００４６】
１１    車載機器
１２    処理ユニット
１５    ＡＶユニット
１７    ナビゲーションユニット
１８    スピーカ
１９    出力回路
２０    記憶部
２１    表示部
２３    操作部
３１、４０、４２、５１、５６、６１、６８、７１、７５，７７    地図表示
【図１】
2017125941.tif 000003
【図２】
2017125941.tif 000004
【図３Ａ】
2017125941.tif 000005
【図３Ｂ】
2017125941.tif 000006
【図４Ａ】
2017125941.tif 000007
【図４Ｂ】
2017125941.tif 000008
【図５Ａ】
2017125941.tif 000009
【図５Ｂ】
2017125941.tif 000010
【図６Ａ】
2017125941.tif 000011
【図６Ｂ】
2017125941.tif 000012
【図７Ａ】
2017125941.tif 000013
【図７Ｂ】
2017125941.tif 000014
【図８Ａ】
2017125941.tif 000015
【図８Ｂ】
2017125941.tif 000016
【図９Ａ】
2017125941.tif 000017
【図９Ｂ】
2017125941.tif 000018